(57)【特許請求の範囲】
【請求項１】
複数個の磁性のティースを備える固定子鉄心と前記ティースに巻回され前記ティースの相互間のスロットに収められた多重の多相巻線群からなる電機子巻線を有する電機子と前記電機子と磁気的空隙を介して相対的に配置されて回転軸を中心に回転する回転子とを備えた多重多相巻線交流回転電機であって、
前記複数個のティースの各々は、前記回転子の側の先端部の磁極部に鍔部を備え、
前記固定子鉄心は、前記複数個のティースの各々の磁極部における隣接する前記鍔部間を接続する磁性の接続部を有し、
前記接続部は、前記スロットの各々に対応して当該対応する前記スロットの内周側に設けられ、
前記接続部の径方向の幅は、前記ティースの周方向の幅および前記鍔部の径方向の幅の何れよりも小さく、
全ての前記接続部を接続した場合の当該接続部の内周面側の総面積は、全て前記鍔部を接続した場合の当該鍔部の内周面側の総面積よりも小さく、前記接続部の径方向の幅は、前記固定子鉄心の前記ティースの周方向の幅およびコアバックの径方向の幅の何れよりも小さく、
前記接続部の数は前記スロットの数と同数あり、各前記接続部の、前記固定子鉄心の前記回転軸の軸方向の両端間の磁気抵抗は、実質的に同じであり、且つ、対応する前記鍔部の、前記固定子鉄心の前記回転軸の軸方向の両端間の磁気抵抗より大きい
ことを特徴とする多重多相巻線交流回転電機。
【請求項２】
複数個の磁性のティースを備える固定子鉄心と前記ティースに巻回され前記ティースの相互間のスロットに収められた多重の多相巻線群からなる電機子巻線を有する電機子と前記電機子と磁気的空隙を介して相対的に配置されて回転軸を中心に回転する回転子とを備えた多重多相巻線交流回転電機であって、
前記複数個のティースの各々は、前記回転子の側の先端部の磁極部に鍔部を備え、
前記固定子鉄心は、前記複数個のティースの各々の磁極部における隣接する前記鍔部間を接続する磁性の接続部を有し、
前記接続部は、前記スロットの各々に対応して前記固定子鉄心の軸方向の複数箇所の一部に、対応する前記スロットの内周側に設けられ、
前記多重の前記多相巻線群からなる前記電機子巻線のいずれの巻線群の前記電機子巻線が納められている前記スロットにおいても前記接続部が配置され、
全ての前記接続部を接続した場合の当該接続部の内周面側の総面積は、全て前記鍔部を接続した場合の当該鍔部の内周面側の総面積よりも小さく、前記接続部の径方向の幅は、前記固定子鉄心の前記ティースの周方向の幅およびコアバックの径方向の幅の何れよりも小さく、
前記接続部の数は前記スロットの数と同数あり、各前記接続部の、前記固定子鉄心の前記回転軸の軸方向の両端間の磁気抵抗は、実質的に同じであり、且つ、対応する前記鍔部の、前記固定子鉄心の前記回転軸の軸方向の両端間の磁気抵抗より大きい
ことを特徴とする多重多相巻線交流回転電機。
【請求項３】
請求項２に記載の多重多相巻線交流回転電機において、
前記複数箇所の各前記接続部の軸方向の厚みの合計が、前記鍔部の軸方向の厚みの合計よりも小さい
ことを特徴とする多重多相巻線交流回転電機。
【請求項４】
請求項２または請求項３に記載の多重多相巻線交流回転電機において、
複数箇所の前記接続部は、隣接する前記鍔部間の接続位置が異なる２種類以上の接続部から構成されている
ことを特徴とする多重多相巻線交流回転電機。
【請求項５】
請求項１または請求項２に記載の多重多相巻線交流回転電機において、
前記固定子鉄心は、前記電機子巻線を納めるスロットを前記ティースの各々の間に有し、
前記電機子巻線は2組の3相巻線により第1の電機子巻線および第2の電機子巻線で構成され、
前記第1の電機子巻線は第1のインバータから電流を供給され、
前記第2の電機子巻線は第2のインバータから電流を供給され、
前記第1の電機子巻線をU1相，V1相，W1相、前記第2の電機子巻線はU2相，V2相，W2相としたとき、
U1相とU2相の各巻線は互いに隣り合う前記スロットに納められており、
V1相とV2相の各巻線は互いに隣り合う前記スロットに納められており、
W1相とW2相の各巻線は互いに隣り合うスロットに納められており、
前記2組の3相巻線に流れる電流の位相は互いに電気角20度以上40度以下の角度ずらして駆動されることを特徴とする多重多相巻線交流回転電機。
【請求項６】
請求項１〜請求項５の何れか一に記載の多重多相巻線交流回転電機において、
前記接続部の半径方向の幅が、前記鍔部の半径方向の幅の半分である
ことを特徴とする多重多相巻線交流回転電機。
【請求項７】
請求項１〜請求項６の何れか一に記載の多重多相巻線交流回転電機において、
隣り合う前記ティースの間に設けられた前記接続部と前記鍔部との形状は、階段状となっており、
前記接続部における前記回転子と前記接続部と間の空隙の空隙長は、前記鍔部における前記回転子と前記鍔部との間の空隙長とは同じである
ことを特徴とする多重多相巻線交流回転電機。
【請求項８】
請求項１〜請求項６の何れか一に記載の多重多相巻線交流回転電機において、
隣り合う前記ティースの間に設けられた前記接続部と前記鍔部との形状は、内径側に凸となった曲面で構成された部分を有する形状となっており、
前記接続部における前記接続部と前記回転子との間の空隙の空隙長は、前記鍔部における前記鍔部と前記回転子との間の空隙の空隙長と同じであることを特徴とする多重多相巻線交流回転電機。
【請求項９】
請求項１〜請求項８の何れか一に記載の多重多相巻線交流回転電機において、
前記回転子は回転子鉄心を有しており、
前記鍔部の半径方向の幅は、前記固定子鉄心と前記回転子鉄心の相対する磁気的空隙の幅よりも大きい
ことを特徴とする多重多相巻線交流回転電機。
【請求項１０】
請求項１〜請求項９の何れか一に記載の多重多相巻線交流回転電機において、
前記隣接する鍔部間の間隔は、前記固定子鉄心と前記回転子の回転子鉄心の相対する磁気的空隙の幅よりも小さい
ことを特徴とする多重多相巻線交流回転電機。
【請求項１１】
請求項１〜請求項１０の何れか一に記載の多重多相巻線交流回転電機において、
前記電機子は、隣接する前記鍔部間の一部を磁性体で接続する前記接続部を有した薄板と、前記接続部を有していない薄板とが積層されて構成されている
ことを特徴とする多重多相巻線交流回転電機。
【請求項１２】
請求項１１に記載の多重多相巻線交流回転電機において、
前記接続部を有していない薄板は、連続して複数枚積層されている
ことを特徴とする多重多相巻線交流回転電機。
【請求項１３】
請求項１〜請求項１２の何れか一に記載の多重多相巻線交流回転電機において、
前記多重の多相巻線群に個別に対応して接続される複数のモータ駆動装置を一体に有する
ことを特徴とする多重多相巻線交流回転電機。
【請求項１４】
請求項１〜請求項１３の何れか一に記載の多重多相巻線交流回転電機が多重多相巻線交流モータであり、当該多重多相巻線交流モータによってアシストトルクを発生させるようにした電動パワーステアリング装置。  
【発明の詳細な説明】
【技術分野】
【０００１】
この発明は、例えば車等のパワーステアリング用のモータ等に使用される多重多相巻線交流回転電機、特にその固定子である電機子の構造、および電動パワーステアリング装置に関するものである。
【背景技術】
【０００２】
特許文献１のように多相巻線と前記多相巻線を駆動するインバータで構成される多相巻線群を一つの交流モータ内に複数群有する多重多相モータ構造がある。
また、特許文献２のように、コギングトルクの低減を図る永久磁石モータがある。
【特許文献１】特開平７−２６４８２２号公報
【特許文献２】特許第４４７６２０２号公報
【発明の開示】
【発明が解決しようとする課題】
【０００３】
多重多相巻線の交流回転電機において、特許文献２のように固定子鉄心の隣り合うティース間を単に接続した場合、複数群の多相巻線群が近接して配置されていると、前記接続部を介して１つの多相巻線群の作る磁束が他の多相巻線群に鎖交することで、前記の他の多相巻線群に電圧を生じさせる。これは他の多相巻線群のインバータで通電するための印加電圧に外乱として重畳することとなるので、互いの多相巻線群により生じるトルク脈動を逆位相にして相殺するモータ制御がより難しくなるという課題がある。【０００４】
この発明はこのような課題を解決するためになされたもので、複数個の磁性のティースを備える固定子鉄心と前記ティースに巻回される多重の多相巻線群を有する電機子と前記電機子と磁気的空隙を介して相対的に配置されている回転子とを備えた多重多相巻線交流回転電機において片群巻線に通電することによって発生する磁束がもう片群の巻線に鎖交して発生する電圧を有効に抑制することを目的とするものである。
【課題を解決するための手段】
【０００５】
この発明に係る多重多相巻線交流回転電機は、複数個の磁性のティースを備える固定子鉄心と前記ティースに巻回され前記ティースの相互間のスロットに収められた多重の多相巻線群からなる電機子巻線を有する電機子と前記電機子と磁気的空隙を介して相対的に配置されて回転軸を中心に回転する回転子とを備えた多重多相巻線交流回転電機であって、前記複数個のティースの各々は、前記回転子の側の先端部の磁極部に鍔部を備え、前記固定子鉄心は、前記複数個のティースの各々の磁極部における隣接する前記鍔部間を接続する磁性の接続部を有し、前記接続部は、前記スロットの各々に対応して当該対応する前記スロットの内周側に設けられ、前記接続部の径方向の幅は、前記ティースの周方向の幅および前記鍔部の径方向の幅の何れよりも小さく、全ての前記接続部を接続した場合の当該接続部の内周面側の総面積は、全て前記鍔部を接続した場合の当該鍔部の内周面側の総面積よりも小さく、前記接続部の径方向の幅は、前記固定子鉄心の前記ティースの周方向の幅およびコアバックの径方向の幅の何れよりも小さく、前記接続部の数は前記スロットの数と同数あり、各前記接続部の、前記固定子鉄心の前記回転軸の軸方向の両端間の磁気抵抗は、実質的に同じであり、且つ、対応する前記鍔部の、前記固定子鉄心の前記回転軸の軸方向の両端間の磁気抵抗より大きいことから、片群巻線に通電することによって発生する磁束がもう片群の巻線に鎖交して発生する電圧が有効に抑制され、モータのインダクタンスのモータの回転による変動も低減することができるので、モータの制御性を向上したり、トルクリップルを低減できる。
また、他の発明に係る多重多相巻線交流回転電機は、複数個の磁性のティースを備える固定子鉄心と前記ティースに巻回され前記ティースの相互間のスロットに収められた多重の多相巻線群からなる電機子巻線を有する電機子と前記電機子と磁気的空隙を介して相対的に配置されて回転軸を中心に回転する回転子とを備えた多重多相巻線交流回転電機であって、前記複数個のティースの各々は、前記回転子の側の先端部の磁極部に鍔部を備え、前記固定子鉄心は、前記複数個のティースの各々の磁極部における隣接する前記鍔部間を接続する磁性の接続部を有し、前記接続部は、前記スロットの各々に対応して前記固定子鉄心の軸方向の複数箇所の一部に、対応する前記スロットの内周側に設けられ、前記多重の前記多相巻線群からなる前記電機子巻線のいずれの巻線群の前記電機子巻線が納められている前記スロットにおいても前記接続部が配置され、全ての前記接続部を接続した場合の当該接続部の内周面側の総面積は、全て前記鍔部を接続した場合の当該鍔部の内周面側の総面積よりも小さく、前記接続部の径方向の幅は、前記固定子鉄心の前記ティースの周方向の幅およびコアバックの径方向の幅の何れよりも小さく、前記接続部の数は前記スロットの数と同数あり、各前記接続部の、前記固定子鉄心の前記回転軸の軸方向の両端間の磁気抵抗は、実質的に同じであり、且つ、対応する前記鍔部の、前記固定子鉄心の前記回転軸の軸方向の両端間の磁気抵抗より大きいことから、全ての巻線群の磁気回路のバランスとインダクタンスのバランスが良好となるため、巻線群間の電流のアンバランスが小さくなり、トルクリップルが小さくなって、その結果として振動騒音が小さくなる。
【発明の効果】
【０００６】
この発明によれば、複数個の磁性のティースを備える固定子鉄心と前記ティースに巻回され前記ティースの相互間のスロットに収められた多重の多相巻線群からなる電機子巻線を有する電機子と前記電機子と磁気的空隙を介して相対的に配置されて回転軸を中心に回転する回転子とを備えた多重多相巻線交流回転電機であって、前記複数個のティースの各々は、前記回転子の側の先端部の磁極部に鍔部を備え、前記固定子鉄心は、前記複数個のティースの各々の磁極部における隣接する前記鍔部間を接続する磁性の接続部を有し、前記接続部は、前記スロットの各々に対応して当該対応する前記スロットの内周側に設けられ、前記接続部の径方向の幅は、前記ティースの周方向の幅および前記鍔部の径方向の幅の何れよりも小さく、全ての前記接続部を接続した場合の当該接続部の内周面側の総面積は、全て前記鍔部を接続した場合の当該鍔部の内周面側の総面積よりも小さく、前記接続部の径方向の幅は、前記固定子鉄心の前記ティースの周方向の幅およびコアバックの径方向の幅の何れよりも小さく、前記接続部の数は前記スロットの数と同数あり、各前記接続部の、前記固定子鉄心の前記回転軸の軸方向の両端間の磁気抵抗は、実質的に同じであり、且つ、対応する前記鍔部の、前記固定子鉄心の前記回転軸の軸方向の両端間の磁気抵抗より大きいことから、片群巻線に通電することによって発生する磁束がもう片群の巻線に鎖交して発生する電圧を有効に抑制することができ、巻線群間の干渉電圧が有効に低減され、モータのインダクタンスのモータの回転による変動も低減することができるので、モータの制御性を向上したり、トルクリップルを低減できる。
また、他の発明によれば、複数個の磁性のティースを備える固定子鉄心と前記ティースに巻回され前記ティースの相互間のスロットに収められた多重の多相巻線群からなる電機子巻線を有する電機子と前記電機子と磁気的空隙を介して相対的に配置されて回転軸を中心に回転する回転子とを備えた多重多相巻線交流回転電機であって、前記複数個のティースの各々は、前記回転子の側の先端部の磁極部に鍔部を備え、前記固定子鉄心は、前記複数個のティースの各々の磁極部における隣接する前記鍔部間を接続する磁性の接続部を有し、前記接続部は、前記スロットの各々に対応して前記固定子鉄心の軸方向の複数箇所の一部に、対応する前記スロットの内周側に設けられ、前記多重の前記多相巻線群からなる前記電機子巻線のいずれの巻線群の前記電機子巻線が納められている前記スロットにおいても前記接続部が配置され、全ての前記接続部を接続した場合の当該接続部の内周面側の総面積は、全て前記鍔部を接続した場合の当該鍔部の内周面側の総面積よりも小さく、前記接続部の径方向の幅は、前記固定子鉄心の前記ティースの周方向の幅およびコアバックの径方向の幅の何れよりも小さく、前記接続部の数は前記スロットの数と同数あり、各前記接続部の、前記固定子鉄心の前記回転軸の軸方向の両端間の磁気抵抗は、実質的に同じであり、且つ、対応する前記鍔部の、前記固定子鉄心の前記回転軸の軸方向の両端間の磁気抵抗より大きいことから、全ての巻線群の磁気回路のバランスとインダクタンスのバランスが良好となるため、巻線群間の電流のアンバランスが小さくなり、トルクリップルが小さくなって、その結果として振動騒音が小さくなる。
【図面の簡単な説明】
【０００７】
【図１】本発明を実施するための実施の形態１における多重多相巻線交流モータの電機子巻線の接続方法を示す説明図。
【図２】本発明を実施するための実施の形態１における多重多相巻線交流モータの群間の電機子巻線の等価回路について示した説明図。
【図３】本発明を実施するための実施の形態１における多重多相巻線交流モータのｑ軸の回路構成を説明するための説明図。
【図４】本発明を実施するための実施の形態１における電動駆動装置の説明図。
【図５】本発明を実施するための実施の形態１における多重多相巻線交流モータの構成を示す断面図。
【図６】本発明を実施するための実施の形態１における多重多相巻線交流モータの構成の一例を示す断面図。
【図７】本発明を実施するための実施の形態１における多重多相巻線交流モータの電機子巻線の巻線パターンを示す断面図。
【図８】本発明を実施するための実施の形態１におけるモータ駆動装置の説明図。
【図９】本発明を実施するための実施の形態１における多重多相巻線交流モータの固定子鉄心を拡大した説明図である。
【図１０】本発明を実施するための実施の形態１における鍔部と接続部の形状の説明図である。
【図１１】本発明を実施するための実施の形態１における回転子の一例として、界磁を発生する界磁極巻線を有する場合を示した説明図である。
【図１２】本発明を実施するための実施の形態１における回転子の一例として、界磁を利用しないリラクタンス型の回転子を示した説明図である。
【図１３】本発明を実施するための実施の形態２における多重多相巻線交流モータの固定子鉄心を拡大した説明図である。
【図１４】本発明を実施するための実施の形態２における接続部の一例として、接続部が軸方向に細かく分割されている場合を示した説明図である。
【図１５】本発明を実施するための実施の形態２における接続部の一例として、接続部の径方向の接続幅bが鍔部の幅aよりも小さくなる場合を示した説明図である。
【図１６】本発明を実施するための実施の形態３において固定子鉄心と回転子鉄心の関係を示した説明図である。
【図１７】本発明を実施するための実施の形態４における接続部として、隣接する鍔部間の接続部の位置が円周方向で異なる場合を示した説明図である。
【図１８】本発明を実施するための実施の形態５における多重多相巻線交流モータの固定子鉄心を拡大した説明図である。
【図１９】本発明を実施するための実施の形態５において、１群巻線に電流を通電したときの図１８の拡大部の磁束の経路を示した説明図である。
【図２０】本発明を実施するための実施の形態５において、接続部を有していない薄板が複数枚連続されて積層されている場合について説明した説明図である。
【図２１】本発明を実施するための実施の形態６における電動パワーステアリング装置を示した説明図である。
【図２２】インダクタンスと磁気カップリングの変化を示す説明図である。
【発明を実施するための形態】
【０００８】
実施の形態１．
本実施の形態１は、複数個の磁性のティースを備える固定子鉄心と前記ティースに巻回され前記ティースの相互間のスロットに収められた多重の多相巻線群からなる電機子巻線を有する電機子と前記電機子と磁気的空隙を介して相対的に配置されて回転軸を中心に回転する回転子とを備えた多重多相巻線交流回転電機であって、前記複数個のティースの各々は、前記回転子側の先端部の磁極部に鍔部を備え、前記固定子鉄心は、前記複数個のティースの各々の磁極部における隣接する前記鍔部間を接続する磁性の接続部を有し、前記接続部は、前記スロットの各々に対応して当該対応する前記スロットの内周側に設けられ、前記接続部の径方向の幅は、前記ティースの周方向の幅および前記鍔部の径方向の幅の何れよりも小さいことを特徴とする多重多相巻線交流回転電機の一例を例示するものである。
以下、この発明の実施の形態１を、車等のパワーステアリング用の多重多相巻線交流モータの場合を事例として、図１〜図１２によって、「電動駆動装置の説明」、「ダブルインバータの説明」「課題の説明」、「外乱電圧の説明」、「発明の基本概念の説明」、「磁極の磁気抵抗部の説明１（階段状の形状）」、「磁極の磁気抵抗部の説明２（曲線状の形状）」、「補足説明」の順に説明する。
【０００９】
「電動駆動装置の説明」
図４は電動駆動装置の事例を縦断側面図で例示する図で、この図４に例示のように、本実施の形態では、電動駆動装置は多重多相巻線交流モータと電子制御ユニットECU（Electronic  Control  Unit）とが一体となった構造が例示されている。
図５は、本発明を実施するための実施の形態１における多重多相巻線交流モータの構成を、回転軸の延在方向に見た断面で例示する図である。
【００１０】
まず、多重多相巻線交流モータ４を、その縦断側面の構造を図４によって説明する。
多重多相巻線交流モータ（回転電機）４は電磁鋼板を積層して構成される固定子鉄心401と固定子鉄心に収められた電機子巻線402と固定子鉄心401を固定するフレーム403を有する。さらにフレーム403はモータの前面部に設けられたハウジング404とボルト405によって固定されている。ハウジング404には軸受けA（406）が設けられ、軸受けA（406）は軸受けB（407）とともに回転軸408を回転自在に支える。軸受けB（407）はフレーム403と一体あるいは別体に設けられた壁部409に支持されている。回転軸408には回転子鉄心410が圧入されていて、回転子鉄心410には永久磁石411が固定されている。
【００１１】
次に、多重多相巻線交流モータを、その回転軸の延在方向に見た断面の構造を図５によって説明する。
電機子５は、等間隔に配置され磁気的空隙長の方向に突出した４８個のティース501及びティース間に設けられた４８個のスロット502が形成された磁性体からなる固定子鉄心401と、この固定子鉄心401の４８個のスロット502に収容された電機子コイルと、電機子コイルが外部で一定のパターンで接続された電機子巻線402を有している。
【００１２】
ここで、固定子鉄心401のティース501はそれぞれ磁気的空隙長の方向の先端部にティースから円周方向に突設した鍔部5012を備えており、また隣接する鍔部5012の径方向内周寄りの一部が磁性の接続部5011によって接続されている。このように各ティース501の相隣る鍔部5012間がそれら径方向内周寄りの一部で接続部5011によって接続された構造とすることによって、固定子鉄心401の回転子503側の内周の接続強度を向上してモータの振動を低減でき、さらに電機子巻線402の固定子鉄心401からの飛出しを防ぐといった効果が得られる。
【００１３】
また、このように隣接する鍔部間を接続した場合、前記スロットの回転子側の開口部が無くなるので、コギングトルク、トルク脈動の原因となるスロットパーミアンスの高調波成分が低減でき、コギングトルク、トルク脈動を低減できる。
【００１４】
さらに、前記のように鍔部間を接続することで接続部が磁束の経路となり回転子ｄ軸のインダクタンスＬｄが増加するため、弱め界磁制御の効果を強くすることが可能となり、電圧飽和を緩和できるので、モータの高回転トルクを向上できる。
【００１５】
また、回転子は磁性体からなる回転子鉄心と、前記回転子鉄心に設置された８個の界磁を発生する永久磁石を有している。また、回転子鉄心の中心部には回転軸が備えられている。なお、図５では、回転子鉄心の内部に永久磁石を配置しているが、図６に示すように回転子鉄心の表面に永久磁石を配置してもよい。
【００１６】
また、図６に示すように、電機子巻線402は、固定子鉄心401に設けられた４８個のスロット502に６相（Ｕ１、Ｖ１、Ｗ１、Ｕ２、Ｖ２、Ｗ２）の電機子巻線402が１群（Ｕ１、Ｖ１、Ｗ１）及び２群（Ｕ２、Ｖ２、Ｗ２）に分かれて複数個のティース501に跨って巻回されている。
【００１７】
ここで、図７は図５の多重多相巻線交流モータの巻回方法を示した断面図であり、各巻線における記号「+」と記号「-」は、巻極性が互いに逆であることを示している。また各巻線は電機子巻線402を挿入するスロット502に同じ巻数だけ挿入されている。各群内の電機子巻線402は互いに接続されているが、１群の電機子巻線（第１巻線群）と２群の電機子巻線（第２巻線群）は接続されておらず電気的に分離されている。このように電機子巻線を複数個のティースに跨って巻回す方法は一般的には分布巻と呼ばれており、通常、電機子巻線の起磁力の高調波成分が低減するため、トルク脈動が低減するといった効果を得られる。
【００１８】
さらに本実施の形態のブラシレスモータは、第１巻線群に対して第２巻線群は回転子のＮ極とＳ極のペアの円周方向に占める角度を電気角３６０°としたとき、電気角３０°の電気的な位相差を有している。また、回転子のＮ極とＳ極のペアの円周方向に占める角度を電気角３６０°としたとき、巻線のコイルピッチを１８０°とした全節巻となっている。またこれらの巻線群は図１に示すようにそれぞれＹまたはΔ結線で結線されており、２重化して配置されている。
【００１９】
「ダブルインバータの説明」
図８は、本発明を実施するための実施の形態１における多重多相巻線交流モータのモータ駆動方法およびモータ駆動装置を示す回路図である。
同図に示すように、多重多相巻線交流モータの６相（Ｕ１、Ｖ１、Ｗ１、Ｕ２、Ｖ２、Ｗ２）の電機子巻線は、第１のインバータ（モータ駆動装置）１（81）の３相端子（Ｕ１´、Ｖ１´、Ｗ１´）、第２のインバータ（モータ駆動装置）２（82）の３相端子(Ｕ２´、Ｖ２´、Ｗ２´)にＵ１とＵ１´、Ｕ２とＵ２´、Ｖ１とＶ１´、Ｖ２とＶ２´、Ｗ１とＷ１´、Ｗ２とＷ２´同士が接続されている。第１のインバータ（モータ駆動装置）１（81）および第２のインバータ（モータ駆動装置）２（82）は、ＥＣＵ（Electronic  Control  Unit）８の内部に配置されている。
【００２０】
ＥＣＵ８はモータと一体型となるように構成されていても別体型となっていてもよい。ただし、図８の構成でモータ４とＥＣＵ８とが別体型となっている場合にはモータ４とＥＣＵ８間の接続線を６本設ける必要があり、しかも長くなるためサイズ・コスト・重量とも不利となるが、図４に例示のようにモータ４とＥＣＵ８とを一体に組立てた一体型の場合には６本の接続線が短くてよいためサイズ・コスト・重量が有利となる。なお、ＥＣＵ８は図４に例示のように、ヒートシンク841を介してモータ４に一体に組立てられており、ＥＣＵの主機能部を搭載した制御基板842、後述のダブルインバータを構成するスイッチング素子843、中間部材844、ケース845、等で構成されている。また、ヒートシンク841には、回転軸408に装着されたセンサ用永久磁石846に対応する磁気センサ847、センサ基板848、等で構成されるセンサ部412が搭載され、センサ部413の出力は、支持部849に支持された接続部材850を介して制御基板842上のＥＣＵの主機能部に送られる。851，852はコネクタ１，コネクタ２、853は電源コネクタである。
【００２１】
「課題の説明」
図１は２重３相巻線のモータの電機子巻線の結線の図である。図１（ａ）はΔ結線を示す。図１（ｂ）はＹ結線を示す．本発明はΔ結線，Ｙ結線どちらにも適用できる。
第１群のＵ１相と第２群のＵ２相の等価回路は図２のように表すことができる。図２において、ｖuは巻線の各端子電圧、iuは電流、Ｒは抵抗、ｖｅは誘起電圧、ｌｍは漏れインダクタンス、Ｍは相互インダクタンスを表しており、添字の１または２は１次側または２次側を示している。またｎはトランスで言う巻数比である。なお、これらの値のうち、特にｌｍとＭは通常のモータ制御で用いる値とは異なり、並列して配置された多重の二相間のインダクタンスを示す。
【００２２】
また、一般には、多重多相巻線交流モータでは並列する巻線の巻数は同じであるのでｎ  ＝１である。Ｖ１相とＶ２相、Ｗ１相とＷ２相、Ｕ１相とＶ２相、Ｕ１相とＷ２相、Ｖ１相とＵ２相、Ｖ１相とＷ２相、Ｗ１相とＵ２相、Ｗ１相とＶ２相の等価回路も図２と同じであるので、三相平衡の場合、ＵＶＷ三相から回転子ｄｑ軸に座標変換を行っても、このｄｑ軸での等価回路は図２に示した等価回路と同じとなる。
【００２３】
さらに回転子ｄｑ軸二相上に座標変換したときのｑ軸の等価回路をブロック図形式で表したものを図３に示す。図中でｖｑ１とｖｑ２  はそれぞれ第１群と第２群のｑ軸電圧、ｉｑ１とｉｑ２はそれぞれ第１群と第２群のｑ軸電流、Ｌｑ１とＬｑ２はそれぞれ第１群と第２群の巻線の自己インダクタンスのｑ軸成分、Ｒa１とＲa２は第１群と第２群の巻線の抵抗成分、Ｍｑ１２とＭｑ２１は第１群と第２群の間の巻線の相互インダクタンスのｑ軸成分である。ｓはラプラス変換の微分演算子を表す。ｖｑ１２とｖｑ２１はそれぞれ第１群と第２群の間の相互インダクタンスにより、第１群と第２群に重畳する外乱電圧である。
【００２４】
なお、図３は回転子ｑ軸上の等価回路を示したものであるが、回転子ｄ軸上の等価回路も同様の構成である。
外乱電圧は電流の制御応答周波数である微分値sに比例するため、モータ制御で電流を高速に制御しようとするほど大きくなるので、高い応答周波数でのトルク脈動を相殺するモータ制御が困難になる。
特に固定子鉄心に磁性体の接続部を設けると、空気に比べて磁性体の透磁率が大きいので空隙の磁気抵抗が局所的に小さくなり、相互インダクタンスも大きくなりやすい。
【００２５】
「外乱電圧の説明」
次に、本実施の形態における前記外乱電圧の影響について考える。ここで、図３より分かるように、前記多重化された巻線を有する多重多相巻線交流モータでは、外乱電圧が相互に作用して、電流制御系に対して外乱値iq1´、iq2´として作用する。
外乱値iq1´、iq2´は、図３のｑ軸の等価回路のブロック図から、以下のように表される。
【数１】
0005932147.tif 000002
【数２】
0005932147.tif 000003
ここで、ｉｑ１、ｉｑ２は第１巻線群、第２巻線群それぞれの群の巻線のｑ軸電流であり、Ｒa１、Ｒa２は第１巻線群、第２巻線群それぞれの群の巻線の抵抗値であり、Ｌｑ１、Ｌｑ２は第１巻線群、第２巻線群それぞれの組の巻線の自己インダクタンスのｑ軸成分であり、Ｍｑ１２は第１巻線群、第２巻線組群の巻線の干渉を表す相互インダクタンスのｑ軸成分である。
【００２６】
以上より、電流制御の周波数が高くなった場合、ラプラス変換の微分演算子ｓが大きくなり、また上記の式より、外乱値はほぼ磁気カップリングＭｑ１２/Ｌｑ１もしくは磁気カップリングＭｑ２１/Ｌｑ２に依存することは明らかである。同磁気カップリングが大きくなった場合、外乱値が大きくなり、電流制御系の外乱が大きくなると電流制御系の応答を高くすることが出来ず、モータの制御性が悪化する。なお、本実施の形態の電機子は１群巻線、２群巻線が対称構造のため、Ｍｑ１２/Ｌｑ１≒Ｍｑ２１/Ｌｑ２と考えてもよい。よって、以後磁気カップリングはＭｑ１２／Ｌｑ１について述べる。
【００２７】
ここで、本実施の形態の多重多相交流モータは、１群巻線に電流Ｉ１を通電すると、１群巻線の電機子コイルに鎖交する経路(以後、経路Ｌとする)において磁束量φＬの磁束が発生し、２群巻線の電機子コイルに鎖交する経路(以後、経路Ｍとする)において磁束量φＭの磁束が発生する。
自己インダクタンスＬｑ１はＩ１の回転子ｑ軸成分に対するφＬのｑ軸成分の割合、相互インダクタンスＭｑ１２はＩ１の回転子ｑ軸成分に対するφＭのｑ軸成分の割合であり、磁気カップリングＭｑ１２／Ｌｑ１はφＭ／φＬに強い相関がある。
【００２８】
本実施の形態では、接続部5011の幅ｂは固定子鉄心のティース501幅ｔやコアバック91幅ｃｂよりも十分小さいので、経路Ｌと経路Ｍでは接続部によって磁束の流れが大きく阻害される。すなわち、磁束の阻害量を磁気抵抗として表すと、経路Ｌと経路Ｍの磁束量φＬ、φＭは接続部の磁気抵抗に強い相関を持つ。また、経路Ｌと経路Ｍは異なるので、φＭとφＬに影響する磁気抵抗はそれぞれ異なる。以上より、磁気カップリングＭｑ１２／Ｌｑ１は経路Ｌ、経路Ｍにおけるそれぞれの接続部の磁気抵抗に強い相関があるといえる。
【００２９】
ここで、接続部の磁気抵抗は、磁性体の磁気飽和による非線形特性から、接続部に通る単位断面積当たりの磁束量によって変化する。さらに、接続部を通る単位断面積当たりの磁束量は、モータの回転による電機子巻線や回転子から生じる磁束の変動によって変動するため、経路Ｌの磁気抵抗が大きくなり、経路Ｍにおける磁気抵抗が小さくなる場合があると、φＭ／φＬが増加し、磁気カップリングＭｑ１２／Ｌｑ１が増加する。ただし、接続部の磁気抵抗は、接続部に通る単位断面積あたりの磁束量が大きくなった場合、磁気飽和により磁気抵抗は接続部に通る磁束量によらず一定となることがわかる。
【００３０】
本実施の形態では、隣接する鍔部間の一部を接続したので、接続部の断面積を鍔部を全て接続した場合の断面積と比較して低減することができる。従って、接続部の単位断面積当たりの磁束量を増加させることができ、接続部が磁気飽和して磁気抵抗を接続部に通る磁束量によらず一定の値とすることができる。よって、接続部に通る磁束のモータの回転による変動によって磁気抵抗やφＬ、φＭが大きく変動することなく、磁気カップリングを低減することが可能となる。また、本実施の形態ではφＬ、φＭがモータの回転により大きく変動することがないので、モータの自己インダクタンスや相互インダクタンスのモータの回転による変動を小さくすることが可能となる。通常、自己インダクタンスや相互インダクタンスがモータの回転により変動するとモータの制御パラメータが変動して制御が困難となったり、トルク脈動が生じたりするが、本実施の形態では上記インダクタンスのモータの回転による変動を低減することができるので、モータの制御性を向上したり、トルク脈動を低減できる。
【００３１】
「発明の基本概念の説明」
図９は図５の固定子鉄心401の一部（３ティース分）を拡大した説明図である。ここで、前述したように隣接する鍔部5012間の径方向の一部が磁性の接続部5011によって接続されており、鍔部5012の径方向の幅をａとしたとき、接続部5011の径方向の幅ｂは鍔部5012の径方向の幅ａよりも小さい。ここで、接続部501の径方向の幅ｂは幅ａよりも小さいので、全ての接続部5011を接続した場合の接続部5011の内周面側の総面積は、全て鍔部5012を接続した場合の鍔部5012の内周面側の総面積よりも小さい。ただし、図９では鍔部5012間が固定子鉄心401の回転子503側で接続部5011によって接続されているが、この位置に限るものではない。また、接続部5011の径方向の幅ｂは固定子鉄心のティース501の周方向の幅tやコアバック91の径方向の幅ｃｂよりも十分小さい。
また、各前記接続部5011，5011，・・・はスロット502数と同数あり、各前記接続部5011，5011，・・・の、前記固定子鉄心401の前記回転軸408の軸方向（回転軸408の延在方向）の両端401E，401E間の磁気抵抗は、実質的に同じであり、且つ、対応する前記鍔部5012の前記両端401E，401E間の磁気抵抗より大きい。
【００３２】
このような構成とすることで、幅ｂの接続部5011の磁束密度を高くすることができるため磁気飽和が発生し、接続部5011の磁気抵抗を高くすることができる。その結果、接続部5011を介して漏れる漏れ磁束が低減できるため、第１巻線群と第２巻線部の間の磁気カップリングを低減でき、制御性を高めることができるという効果が得られる。
【００３３】
図２２は鍔部5012の幅ａに対して接続部5011の幅ｂを変えた場合の１群の1/(Ｍｑ１２/Ｌｑ１)を示したグラフである。ただし、同図には前述した弱め界磁制御の効果に影響する自己インダクタンスＬｄ１成分も記載している。
【００３４】
また、同図では本実施の形態とは異なるが接続部5011と鍔部5012の幅が同じ場合（ｂ／a＝１.0）や接続部5011が無い場合（ｂ／a＝0.0）も比較のため記載しており、Ｌｄ１と1/(Ｍｑ１２/Ｌｑ１)は接続部5011と鍔部5012の幅が同じ場合（ｂ／a＝１.0）に対する割合で示している。この結果から、ｂ／ａが小さくなるにつれて1/(Ｍｑ１２/Ｌｑ１)が大きくなり、Ｌｄ１が小さくなっていく。これはすなわち，制御性が向上する反面、弱め磁束制御が効果を発揮しなくなりモータの回転数が低下することを示している。図２２より、おおよそｂ／ａ＝０．５のときにｂ／ａ＝１のときに比べて1/(Ｍｑ１２/Ｌｑ１)が向上するが、Ｌｄ１はあまり低下しない。すなわち制御性と回転数のバランスがとれたモータが得られることがわかる。
【００３５】
さらに、隣接する鍔部5012間を接続することで、固定子鉄心401の接続強度を向上してモータ４の振動を低減したり、固定子鉄心401からの電機子巻線402の飛出しを抑制したり、スロットパーミアンスの高調波成分を低減してコギングトルク、トルク脈動を低減したり、回転子ｄ軸のインダクタンスを向上してモータの高回転トルクを向上できる。
【００３６】
さらに、隣接する鍔部5012間の径方向の一部を接続することで接続部5011の磁気抵抗を調整して、磁路が共用した電機子５において磁気カップリングを低減することができるといった特別な効果が得られる。従って、電流制御系の応答を高くすることができ、モータの制御性を向上できる。
【００３７】
さらに、回転子503が回転したときのインダクタンスの変動を低減することができ、モータの制御性の向上とトルク脈動の低減ができる。また、鍔部5012間の径方向の一部のみを接続したため、トルクに寄与しない電機子５内の漏洩磁束を低減することができ、トルクを向上できる。
【００３８】
「磁極の磁気抵抗部の説明１（階段状の形状）」
図１０（ａ）は鍔部5012と接続部5011との複合体の形状が階段状になった構成の説明図である。図は理解を助けるためにモータの断面形状の一部を拡大して示している。
コアバック91とティース501とスロット502とを有する固定子鉄心401のスロット502に電機子巻線402が納められている。図１０（ａ）では同じ相の電機子巻線a1，a2，a3，a4の４本のコイルがスロット502に納められている。電機子巻線4とスロットとの間に絶縁のための部材が必要であるが図では省略している。
【００３９】
ティース501の内周側先端の磁極部には鍔部5012が設けられ、さらに、隣り合う鍔部5012は接続部5011によって接続されている。接続部5011は磁性体で構成される。例えば、鍔部5012と一体になるように電磁鋼板を金型で打ち抜くことで作成される。回転子503には永久磁石411と回転子鉄心108が備えられている。回転子503の外径11Ｒを半径Routとしている。永久磁石411の飛散防止の金属製の管がある場合には管も含んで半径Routは定義される。永久磁石411が回転子鉄心108に埋め込まれている場合には回転子鉄心108の最外径でRoutは定義される。
【００４０】
鍔部5012と接続部5011との複合体の輪郭は階段状の形状501112Sをしている。さらに、接続部5011における回転子503との空隙長g1が鍔部5012における回転子503との空隙長g2と同じである構成としている。このように階段状501112Sとしたことで隣り合う鍔部5012の間の距離が均一な部分ができる。このため接続部5011が磁気飽和していれば、隣り合う鍔部5012の間に発生する漏れ磁束を低減することができる。
【００４１】
漏れ磁束が小さいとモータのトルクが低下しないので、モータが小型化できるという効果がある。また、永久磁石411の使用量を削減できるという効果もある。さらに、接続部5011における前記空隙長と鍔部5012における前記空隙長とが同じであることによりパーミアンスの脈動が小さくトルク脈動が小さくできるという効果が顕著となる。
【００４２】
「磁極の磁気抵抗部の説明２（曲線状の形状）」
図１０（ｂ）は鍔部5012と接続部5011との複合体の形状が曲線状501112Rになった構成の説明図である。図は理解を助けるためにモータの断面形状の一部を拡大して示している。
コアバック91とティース501とスロット502とを有する401固定子鉄心のスロット502に電機子巻線402が納められている。図１０（ｂ）では同じ相の電機子巻線b1，b2，b3，b4の４本のコイルがスロット502に納められている。電機子巻線とスロットとの間に絶縁のための部材が必要であるが図では省略している。
【００４３】
ティース501の内周側先端の磁極部には鍔部5012が設けられ、さらに、隣り合う鍔部5012は接続部5011によって接続されている。接続部5011は磁性体で構成される。例えば、接続部5011は鍔部5012と一体になるように電磁鋼板を金型で打ち抜くことで作成される。回転子503には永久磁石411と回転子鉄心108が備えられている。回転子503の外径を半径Routとしている。永久磁石の飛散防止の金属製の管がある場合には管も含んで半径Routは定義される。永久磁石が回転子鉄心に埋め込まれている場合には回転子鉄心の最外径でRoutは定義される。
【００４４】
鍔部5012と接続部5011との複合体の輪郭は内径側に凸となった曲線状501112Rとなっている。図１０（ａ）に例示の階段状になっている場合と比較して、角部がなく曲率の大きな曲面で固定子鉄心401を構成することができるため金型寿命が長くできるという効果がある。
さらに、電機子巻線b1は内径側に凸となった曲線501112Rにならうような断面形状となっている。
このようにすれば、電機子巻線402のスロット502における占積率を高めることができ、抵抗を下げることができ、モータの効率が向上し、出力が向上するという効果がある。
【００４５】
図１０（ｂ）では鍔部5012と接続部5011との複合体の輪郭は、内径側に凸となった曲線状501112Rとしたが、内径側が細くなった台形形状としても同様の効果が得られる。さらに、接続部5011における接続部5011と回転子503との間の空隙の空隙長g1が、鍔部5012における鍔部5012と回転子503との間の空隙の空隙長g2と同じである構成としている。これによりパーミアンスの脈動が小さくトルク脈動が小さくできるという効果が顕著となる。
【００４６】
「補足説明」
なお、本実施の形態の説明では、回転子503は回転子鉄心108と、前記回転子鉄心108に設置された界磁を発生する永久磁石411とを有しているものとしたが、この構造に限るものではなく、例えば図１１に示すように回転子503に界磁を発生する界磁極巻線111を有していたり、図１２に示すように回転子鉄心108に突起部121を設けたリラクタンス型の回転子であったり、誘導機であったりしても上記と同様の議論が成立する。
【００４７】
また、上記の説明においては巻線群が電気的に３０°の位相差を有しており、１群巻線及び２群巻線が隣り合う位置に配置されている８極４８スロットの多重多相巻線交流モータで説明を行ったが、この巻線群間の位相差、１群２群間の位置、極数、スロット数に限定するものではなく、巻線が電気的に２つに分離されており、またそれぞれの巻線群が異なるモータ駆動装置で駆動されている多重多相巻線交流モータについて、上記と同様の効果が得られる。
【００４８】
また、ｍを１以上の整数として、極数２ｍ、スロット数１２ｍの多重多相巻線交流モータは、前記２重の３相巻線群に個別に対応して接続される２個のモータ駆動装置を備えており、前記２重の多相巻線群は、巻線群間で電気的な位相差３０°を有しており、１群巻線及び２群巻線が隣り合う位置に配置されており、電機子巻線の巻線ピッチを電気角１８０°の全節巻としており、前記２つのモータ駆動装置81，82は、前記２重の多相巻線群に位相差３０°を有した電圧または電流を供給している場合、モータの分布巻係数と短節巻係数をそれぞれ最大の１とすることが可能となり、多重多相巻線交流モータのトルクを向上できる。
【００４９】
また、上記の説明において電機子巻線402は複数個のティース501に跨って巻回されている場合について説明したが、１つのティース501に集中的に巻回されている場合においても上記と同様の議論が成立する。また、上記の説明においては電機子巻線402の巻線ピッチを電気角１８０°の全節巻とした場合について説明したが、電気角１８０°以外とした場合でも上記と同様の効果が得られる。
【００５０】
また、上記の説明においては巻線が電気的に２つの巻線群に分離されており、かつ２つの異なるモータ駆動装置81，82で駆動されている多重多相巻線交流モータについて説明を行ったが、巻線群の分離される数やモータ駆動装置81，82の数が増加した場合についても上記と同様の効果が得られる。
また、本実施の形態の固定子鉄心の鍔部や、隣接する鍔部間の接続部が固定子鉄心のティースと別部材であっても、上記と同様の効果が得られる。
【００５１】
実施の形態２．
本実施の形態２は、複数個の磁性のティースを備える固定子鉄心と前記ティースに巻回され前記ティースの相互間のスロットに収められた多重の多相巻線群からなる電機子巻線を有する電機子と前記電機子と磁気的空隙を介して相対的に配置されて回転軸を中心に回転する回転子とを備えた多重多相巻線交流回転電機であって、前記複数個のティースの各々は、前記回転子側の先端部の磁極部に鍔部を備え、前記固定子鉄心は、前記複数個のティースの各々の磁極部における隣接する前記鍔部間を接続する磁性の接続部を有し、前記接続部は、前記スロットの各々に対応して前記固定子鉄心の軸方向の複数箇所の一部に、対応する前記スロットの内周側に設けられ、前記多重の前記多相巻線群からなる前記電機子巻線のいずれの巻線群の前記電機子巻線が納められている前記スロットにおいても前記接続部が配置されていることを特徴とする多重多相巻線交流回転電機の事例を例示するものである。
以下、この発明の実施の形態２を、図１３〜図１５によって、実施の形態１と異なる部分について以下に説明する。なお、本実施の形態２において、以下に説明する以外の部分については実施の形態１と同じである。
図１３は、本発明を実施するための実施の形態２における多重多相巻線交流モータの固定子鉄心の一部を拡大した説明図である。本実施の形態では、実施の形態１に対して、固定子鉄心401の構成のみが異なり、隣接する鍔部5012間の一部が磁性の接続部5011によって接続されており、特に回転軸の方向(以後、軸方向とする)に一部接続されている。
【００５２】
ここで、鍔部5012の軸方向の厚みをｃとしたとき、接続部5011の軸方向の厚みｄ１とｄ２の合計ｄは、厚みｃよりも小さくなっている。すなわちｄ＝ｄ１＋ｄ２＜ｃとなっている．また、接続部5011は図１４に示すように軸方向に細かく分割(厚みｄ１、ｄ２、ｄ３、ｄ４)されていたり、図１５に示すように径方向の接続幅ｂが鍔部の幅aよりも小さくなっていたりしてもよい。
なお、図１３〜１５において、多数のスロットの各々に対応して配設された接続部5011，5011，・・・の、前記固定子鉄心401の前記回転軸408の軸方向（回転軸408の延在方向）の両端401E，401E間の磁気抵抗（図１３ではｄ１とｄ２の合計ｄの磁気抵抗、図１４および図１５ではｄ１、ｄ２、ｄ３、およびｄ４の合計ｄの磁気抵抗）は、実質的に同じであり、且つ、対応する前記鍔部5012の前記両端401E，401E間の磁気抵抗より大きい。
【００５３】
このように、本実施の形態では実施の形態１と同様に隣接する鍔部5012間の軸方向の一部が磁性の接続部5011によって接続されているため、固定子鉄心401の接続強度を向上してモータの振動を低減したり、固定子鉄心401からの電機子巻線402の飛出しを抑制したり、スロットパーミアンスの高調波成分を低減してコギングトルク、トルク脈動を低減したり、回転子ｄ軸のインダクタンスを向上してモータの高回転トルクを向上したりできる。
【００５４】
さらに、実施の形態１と同様、磁気カップリングを低減することができるので、電流制御系の応答を高くすることができ、モータの制御性を向上できる。さらに、モータの自己インダクタンスや相互インダクタンスのモータの回転による変動を低減することができ、モータの制御性が向上したり、トルク脈動を低減できる。また、鍔部5012間の軸方向の一部のみを接続部5011で接続したため、トルクに寄与しない電機子内の漏洩磁束を低減することができ、トルクを向上できる。
【００５５】
図１５では鍔部5012と接続部5011との複合体の輪郭が階段状となった例を示したが、これに限らない。図１０（ｂ）のように内径側に凸となった曲線となった場合でもよいことはいうまでもない。この場合でも実施の形態１で述べた効果と同様の効果が得られる。
【００５６】
また、前記接続部5011の半径方向の幅を、前記鍔部5012の半径方向の幅の半分程度としたので、制御性が向上するとともにインダクタンスがあまり低下しないので弱め磁束制御が効果を発揮しモータ（回転電機）の回転数を確保できる。
【００５７】
また、図７に示した電機子巻線の配置から、隣り合うスロットには、それぞれ第１の電機子巻線群と第２の電機子巻線群が納められていることがわかる。また、図５、図６、図９、図１０、図１３などの接続部の構成から、接続部は隣り合うスロットの径方向内側に設けられていることがわかる。これは、第１の電機子巻線群と第２の電機子巻線群の電機子巻線が納められているスロットいずれにおいても接続部が配置されていることを示している。また、図１３、図１４などから、接続部は固定子鉄心の軸方向の一部にわたって配置されている。すなわち、本実施の形態の多重多相巻線交流回転電機において、前記接続部は、固定子鉄心の軸方向の一部にわたって配置されており、かつ、多重の多相巻線群からなる電機子巻線のうち、いずれの巻線群の電機子巻線が納められているスロットにおいても前記接続部が配置されている構成となっている。
このような構成とすることで、インダクタンスのモータの回転による変動を低減できるだけでなく、全ての巻線群の磁気回路のバランスとインダクタンスのバランスが良好となるため、巻線群間の電流のアンバランスを小さくでき、トルクリップルが小さくなる。その結果として振動騒音が小さくなるという特別な効果が得られる。
【００５８】
実施の形態３．
図１６は本実施の形態３における固定子鉄心401と回転子鉄心108の関係を示した説明図である。本実施の形態では、実施の形態１に対して、固定子鉄心401の構成のみが異なる。
同図では、鍔部5012の幅ａが固定子鉄心401と回転子鉄心108との間の空隙の空隙幅gより大きく、鍔部5012間の間隔ｆは空隙幅gより小さくなっている。ここで、電機子５に生じる磁束は、主に前記接続部5011と回転子503とに分かれて流れるが、これらの割合は接続部5011の磁気抵抗と、前記固定子鉄心401と回転子鉄心108との間の磁気的空隙の磁気抵抗の比率に強い相関がある。ただし、固定子鉄心401と回転子鉄心108との間の磁気的空隙の磁気抵抗は、空隙幅ｇに比例するといった特徴を持つ。
【００５９】
ここで、接続部5011が飽和した場合の磁気抵抗は、鍔部5012の幅ａや鍔部5012間の間隔ｆに依存し、鍔部5012の幅ａが大きく、鍔部5012間の間隔ｆが小さくなるほど小さくなる。すなわち、空隙幅ｇを一定としたとき、鍔部5012の幅ａが大きく、鍔部5012間の間隔ｆが小さくすると、接続部5011の磁気抵抗が前記固定子鉄心401と回転子鉄心108の間の磁気的空隙の磁気抵抗よりも小さくなり、固定子鉄心401の鍔部5012から隣接する鍔部5012側に流れる磁束を相対的に大きくすることができる。従って、本実施の形態では鍔部5012の幅ａを空隙幅gより大きくし、鍔部5012間の間隔ｆを空隙幅gより小さくしたので、接続部5011の磁束量を増加させることができる。
【００６０】
以上から、接続部5011の磁束量がモータの回転により変動したときに接続部5011の磁気抵抗を磁束量によらず一定にすることができ、磁気カップリングやインダクタンスのモータの回転による変動を低減することが可能となる。なお、本実施の形態では鍔部5012の幅ａを空隙幅gより大きくし、鍔部5012間の間隔ｆを空隙幅gより小さくしたが、鍔部5012の幅ａを空隙幅gより大きするか、鍔部5012間の間隔ｆを空隙幅gより小さくした場合のみでも上記と同様の効果が得られる。
【００６１】
実施の形態４．
図１７は、本発明を実施するための実施の形態４における多重多相巻線交流モータの固定子鉄心の一部を拡大した説明図である。
本実施の形態では、実施の形態１に対して、固定子鉄心401の構成のみが異なり、隣接する鍔部5012間の接続位置が円周方向で異なる。また、磁性の薄板を積層して構成された固定子鉄心401の軸方向全長において前記接続部5011の軸方向の厚みの合計が、前記鍔部5012の軸方向の厚み合計よりも小さい。
なお、本実施の形態では、隣接する鍔部5012間の接続位置が円周方向で異なっていても、各前記接続部5011，5011，・・・の、前記固定子鉄心401の前記回転軸408の軸方向（回転軸408の延在方向）の両端401E，401E間の磁気抵抗は、実質的に同じであり、且つ、対応する前記鍔部5012の前記両端401E，401E間の磁気抵抗より大きい。
【００６２】
このように隣接する鍔部5012間の接続位置が円周方向で異なる場合、前記スロット502のスロットパーミアンスの高調波成分が接続位置によって変わる。接続位置が異なる固定子鉄心を組み合わせることによってスロットパーミアンスの高調波成分を打ち消すことが可能となり、コギングトルクやトルク脈動を低減できる。
【００６３】
実施の形態５．
図１８は、本発明を実施するための実施の形態５における多重多相巻線交流モータの固定子鉄心の一部を拡大した説明図である。本実施の形態では、実施の形態１に対して、固定子鉄心401の構成のみが異なり、隣接する鍔部5012間の一部を磁性体で接続する接続部5011を有する薄板と、接続部を有しない薄板とが積層されて構成されている。
【００６４】
このように本実施の形態では、実施の形態１〜４と同様隣接する鍔部5012間の一部が磁性の接続部5011によって接続されているため、固定子鉄心401の接続強度を向上してモータの振動を低減したり、固定子鉄心401からの電機子巻線402の飛出しを抑制したり、スロットパーミアンスの高調波成分を低減してコギングトルク、トルク脈動を低減したり、回転子ｄ軸のインダクタンスを向上してモータの高回転トルクを向上したりできる。
【００６５】
さらに、実施の形態１〜４と同様、磁気カップリングを低減することができるので、電流制御系の応答を高くすることができ、モータの制御性を向上できる。さらに、回転子が回転したときのインダクタンスのモータの回転による変動を低減することができ、モータの制御性が向上したり、トルク脈動を低減できる。また、鍔部間の一部のみを接続したため、トルクに寄与しない電機子内の漏洩磁束を低減することができ、トルクを向上できる。
【００６６】
図１９は本実施の形態における接続部5011の磁束の流れを示した説明図である。本実施の形態では、１群巻線に電流したときの経路Ｌ、経路Ｍにおける磁束に関して、鍔部5012間の空隙を通る経路Ａと、鍔部5012間の接続部5011を通る経路Ｂの２つの経路に分かれて流れる。この理由としては、本実施の形態の電機子として用いた薄板は表面に皮膜があるため、薄板の積層方向の磁気抵抗が薄板の面方向の磁気抵抗よりも大きくなるためである。
【００６７】
ここで、経路Ｂは磁性の接続部5011を通るため磁気抵抗が磁束量に対して依存性を持つのに対し、鍔部5012間の空隙を通る経路Ａの磁気抵抗は、空隙を通っているため磁束量にかかわらず一定である。
従って、本実施の形態では、経路Ａを通る磁束があるために、経路Ｂのみを通る場合と比較して磁気抵抗が磁束量によらず一定となる。従って、接続部5011の磁束量がモータの回転により変動したときの磁気抵抗をより一定値に近づけることができるので、磁気カップリングやモータの自己インダクタンスや相互インダクタンスのモータの回転による変動を低減することができる。図２０では鍔部の軸方向の厚みをｃ、接続部を有していない薄板の連続積層厚みの最大値をhとしている。
【００６８】
図２０は本実施の形態の一例を示した説明図である。同図では、接続部を有していない薄板が複数枚連続されて積層されている場合（図２０（ｃ））が説明されている。
本実施の形態の一例では、図１９の経路Ａの磁束が、図１８のように接続部5011を有していない薄板が複数枚連続されて積層されていない場合と比較して相対的に多くなり、接続部5011の磁束量がモータの回転により変動したときの磁気抵抗をより一定に近づけることが可能となり、磁気カップリングやモータの自己インダクタンスや相互インダクタンスのモータの回転による変動が低減する。
【００６９】
以上により、本実施の形態では、隣接する鍔部5012間の一部を磁性体で接続する接続部5011を有した薄板（図２０（ｂ））と、接続部5011を有していない薄板（図２０（ｃ））とを積層し、前記薄板の軸方向の積層位置を調整したので、モータの高回転トルクを向上させながらも磁気カップリングがさらに低減できるといった特異な効果を得ることができる。
【００７０】
実施の形態６．
図２１は、実施の形態１〜５の多重多相巻線交流モータによってアシストトルクを発生させるようにした電動パワーステアリング装置を示す図である。
車室内の運転手は、ステアリングホイール2101を左右に回転させて前輪2102の操舵を行う。トルク検出手段2103はステアリング系の操舵トルクを検出して検出トルクを制御手段2104に出力する。制御手段2104はステアリング系の操舵トルクを補助するトルクを多重多相巻線交流モータ2105が発生するように電圧指令を演算し、電圧印加手段2106に出力する。電圧印加手段2106は電圧指令に基づいて多重多相巻線交流モータ2105に電圧を印加し、多重多相巻線交流モータ2105はギア2107を介して操舵トルクを補助するトルクを発生する。
【００７１】
本実施の形態に記載した多重多相巻線交流モータ2105を備えた電動パワーステアリング装置では、多重多相巻線交流モータ2105のトルク脈動やコギングトルクが低減するので、ハンドルを操舵したときに感じる脈動を小さくしてドライバーの操舵フィーリングを向上させたり、操舵中の音を小さくしたりできる。また、モータ2105の振動が低下するので車室に伝わる音を低減することができ、車室の静粛性を向上できる。また、多重多相巻線交流モータ2105のトルクが向上するので、電動パワーステアリング装置を小型化、軽量化できたり、端当て操舵時などに必要な定格トルクや、緊急回避時などに必要な高回転トルクを向上できる。
【００７２】
なお、前述の説明および前述の各図からも明白なように、本発明の実施の形態１〜６には、以下のような特徴がある。
【００７３】
特徴１：複数個の磁性のティースを備える固定子鉄心と前記ティースに巻回される多重の多相巻線群を有する電機子と前記電機子と磁気的空隙を介して相対的に配置されている回転子とを備えた多重多相巻線交流回転電機であって、前記複数個のティースの各々は、前記回転子側の先端部の磁極部に鍔部を備え、前記固定子鉄心は、前記複数個のティースの各々の磁極部における隣接する前記鍔部間を接続する磁性の接続部を有し、各前記接続部の前記固定子鉄心の前記回転軸の軸方向の両端間の磁気抵抗は、実質的に同じであり、且つ、対応する前記鍔部の磁気抵抗より大きいことを特徴とする多重多相巻線交流回転電機であり、以下の効果を奏する。
[Ａ]鍔部間の一部のみを接続したため、電機子や回転子によって生じる磁束によって接続部が飽和し、巻線群間による干渉電圧が低減する。従って、電流制御系の応答が向上して電流の脈動成分に起因するトルク脈動が低減する。
[Ｂ]固定子鉄心の接続強度を向上でき、モータの振動を低減できる。
[Ｃ]コギングトルク、トルク脈動を低減できる。
[Ｄ]鍔部間の一部のみを接続したため、トルクに寄与しない電機子内の漏洩磁束を低減することができ、トルクを向上できる。
[Ｅ]回転子ｄ軸のインダクタンスを向上でき、弱め界磁効果を大きくできるので、電圧飽和を緩和でき、モータの高回転トルクを向上できる。
[Ｆ]鍔部間の一部のみを接続したため、電機子や回転子によって生じる磁束によって接続部が飽和し、回転子が回転したときのインダクタンスのモータの回転による変動を低減し、モータの制御性が向上したり、トルク脈動を低減できる。
[Ｇ]固定子鉄心のコイル飛出しを防止することができる。
【００７４】
特徴２：特徴１を有する多重多相巻線交流回転電機であって、前記固定子鉄心は、前記電機子巻線を納めるスロットを前記ティースの各々の間に有し、前記電機子巻線は2組の3相巻線により第1の電機子巻線および第2の電機子巻線で構成され、前記第1の電機子巻線は第1のインバータから電流を供給され、前記第2の電機子巻線は第2のインバータから電流を供給され、前記第1の電機子巻線をU1相，V1相，W1相、前記第2の電機子巻線はU2相，V2相，W2相としたとき、U1相とU2相の各巻線は互いに隣り合う前記スロットに納められており、  V1相とV2相の各巻線は互いに隣り合う前記スロットに納められており、W1相とW2相の各巻線は互いに隣り合うスロットに納められており、前記2組の3相巻線に流れる電流の位相は互いに電気角20度以上40度以下の角度ずらして駆動されることを特徴とする多重多相巻線交流回転電機であり、モータモータ（回転電機）の制御性を確保しつつもリラクタンストルクが利用でき、モータ（回転電機）を高出力化できると同時に６次のトルクリップルを低減できる。
【００７５】
特徴３：特徴１または特徴２を有する多重多相巻線交流回転電機において、前記接続部の半径方向の幅が、前記鍔部の半径方向の幅より小さいことを特徴とする多重多相巻線交流回転電機であり、以下のＡ，Ｄ，Ｆの効果を奏する。
[Ａ]鍔部間の接続面積を低減したため、電機子や回転子によって生じる磁束によって接続部が飽和し、巻線群間による干渉電圧が低減する。従って、電流制御系の応答が向上して電流の脈動成分に起因するトルク脈動が低減する。
[Ｄ]鍔部間の接続面積を低減したため、トルクに寄与しない電機子内の漏洩磁束を低減することができ、トルクを向上できる。
[Ｆ]鍔部間の接続面積を低減したため、電機子や回転子によって生じる磁束によって接続部が飽和し、回転子が回転したときのインダクタンスのモータの回転による変動を低減し、モータの制御性が向上したり、トルク脈動を低減できる。
【００７６】
特徴４：特徴３を有する多重多相巻線交流回転電機において、前記接続部の半径方向の幅が、前記鍔部の半径方向の幅の半分であることを特徴とする多重多相巻線交流回転電機であり、制御性が向上するとともにインダクタンスがあまり低下しないので弱め磁束制御が効果を発揮しモータの回転数を確保できる。
【００７７】
特徴５：特徴１〜特徴４の何れか一を有する多重多相巻線交流回転電機において、隣り合う前記ティースの間に設けられた前記接続部と前記鍔部との形状は、階段状となっており、前記接続部における前記回転子と前記接続部と間の空隙の空隙長は、前記鍔部における前記回転子と前記鍔部との間の空隙長とは同じであることを特徴とする多重多相巻線交流回転電機であり、特徴３の効果に加えて、階段状としたことで隣り合う鍔部の間の距離が均一な部分ができる。このため接続部が磁気飽和していれば、隣り合う鍔部の間に発生する漏れ磁束を低減することができる。また、接続部における空隙長と鍔部におけるが同じであることによりパーミアンスの脈動が小さくトルク脈動が小さくできるという効果が顕著となる。
【００７８】
特徴６：特徴１〜特徴４の何れか一を有する多重多相巻線交流モータにおいて、隣り合う前記ティースの間に設けられた前記接続部と前記鍔部との形状は、内径側に凸となった曲面で構成された部分を有する形状となっており、前記接続部における前記接続部と前記回転子との間の空隙の空隙長は、前記鍔部における前記鍔部と前記回転子との間の空隙の空隙長と同じであることを特徴とする多重多相巻線交流回転電機であり、前記特徴３の効果に加えて、前記接続部における前記空隙長と前記鍔部における前記空隙長とが同じであることによりパーミアンスの脈動が小さくトルク脈動が小さくできるという効果が顕著となる。また、前記鍔部と前記接続部との形状が階段状になっている場合と比較して角部がなく曲率の大きな曲面で固定子鉄心を構成することができるため金型寿命が長いという効果がある。また、電機子巻線のスロットにおける占積率を高めることができるという効果がある。
【００７９】
特徴７：特徴１〜特徴６の何れか一を有する多重多相巻線交流回転電機において、固定子鉄心がその軸方向全長に亘って複数箇所に前記接続部を有し、前記複数箇所の各前記接続部の軸方向の厚みの合計が、前記鍔部の軸方向の厚みの合計よりも小さいことを特徴とする多重多相巻線交流回転電機であり、以下のＡ，Ｄ，Ｆの効果を奏する。
[Ａ]鍔部間の接続面積を低減したため、電機子や回転子によって生じる磁束によって接続部が飽和し、巻線群間による干渉電圧が低減する。従って、電流制御系の応答が向上して電流の脈動成分に起因するトルク脈動が低減する。
[Ｄ]鍔部間の接続面積を低減したため、トルクに寄与しない電機子内の漏洩磁束を低減することができ、トルクを向上できる。
[Ｆ]鍔部間の接続面積を低減したため、電機子や回転子によって生じる磁束によって接続部が飽和し、回転子が回転したときのインダクタンスのモータ（回転電機）の回転による変動を低減し、モータ（回転電機）の制御性が向上したり、トルク脈動を低減できる。
【００８０】
特徴８：特徴１〜特徴７の何れか一を有する多重多相巻線交流回転電機において、前記回転子は回転子鉄心を有しており、前記鍔部の半径方向の幅は、前記固定子鉄心と前記回転子鉄心の相対する磁気的空隙の幅よりも大きいことを特徴とする多重多相巻線交流回転電機であり、以下のＡ，Ｆの効果を奏する。
[Ａ]電機子内の磁束が増加するので、電機子や回転子によって生じる磁束によって接続部がさらに飽和し、巻線群間による干渉電圧がさらに低減する。従って、電流制御系の応答が向上して電流の脈動成分に起因するトルク脈動がさらに低減する。
[Ｆ]電機子内の磁束が増加するので、電機子や回転子によって生じる磁束によって接続部がさらに飽和し、回転子が回転したときのインダクタンスのモータの回転による変動をさらに低減し、モータの制御性が向上したり、トルク脈動を低減できる。
【００８１】
特徴９：特徴８を有する多重多相巻線交流回転電機において、前記隣接する鍔部間の間隔は、前記固定子鉄心と前記回転子鉄心の相対する磁気的空隙の幅よりも小さいことを特徴とする多重多相巻線交流回転電機であり、以下のＡ，Ｆの効果を奏する。
[Ａ]  電機子内の磁束が増加するので、電機子や回転子によって生じる磁束によって接続部がさらに飽和し、巻線群間による干渉電圧がさらに低減する。従って、電流制御系の応答が向上して電流の脈動成分に起因するトルク脈動がさらに低減する。
[Ｆ]電機子内の磁束が増加するので、電機子や回転子によって生じる磁束によって接続部がさらに飽和し、回転子が回転したときのインダクタンスのモータの回転による変動をさらに低減し、モータの制御性が向上したり、トルク脈動を低減できる。
【００８２】
特徴１０：特徴１〜特徴９の何れか一を有する多重多相巻線交流回転電機において、前記固定子鉄心の軸方向全長における複数箇所の前記接続部は、隣接する前記鍔部間の接続位置が異なる２種類以上の接続部から構成されていることを特徴とする多重多相巻線交流回転電機であり、コギングトルク、トルク脈動の高調波成分を打ち消すことができる。
【００８３】
特徴１１：特徴１〜特徴１０の何れか一を有する多重多相巻線交流回転電機において、前記電機子は、隣接する前記鍔部間の一部を磁性体で接続する前記接続部を有した薄板と、前記接続部を有していない薄板とが積層されて構成されていることを特徴とする多重多相巻線交流回転電機であり、以下のＡ，Ｆの効果を奏する。
[Ａ]積層構造とすることで、軸方向の磁束を低減することができ、電機子や回転子によって生じる磁束によって接続部が飽和し、巻線群間による干渉電圧がさらに低減する。従って、電流制御系の応答が向上して電流の脈動成分に起因するトルク脈動がさらに低減する。
[Ｆ]積層構造とすることで、軸方向の磁束を低減することができ、電機子や回転子によって生じる磁束によって接続部が飽和し、回転子が回転したときのインダクタンスのモータの回転による変動をさらに低減し、モータの制御性が向上したり、トルク脈動を低減できる。
【００８４】
特徴１２：特徴１１を有する多重多相巻線交流回転電機において、前記接続部を有していない薄板は、連続して複数枚積層されていることを特徴とする多重多相巻線交流回転電機であり、以下のＡ，Ｆの効果を奏する。
[Ａ]接続部を有していない薄板が２枚以上積層されている構造とすることで、軸方向の磁束をさらに低減することができ、スロットオープン(経路Ａ)を通る磁束量が増加するので、巻線群間による干渉電圧がさらに低減する。従って、電流制御系の応答が向上して電流の脈動成分に起因するトルク脈動がさらに低減する。
[Ｆ]接続部を有していない薄板が２枚以上積層されている構造とすることで、軸方向の磁束をさらに低減することができ、スロットオープン(経路Ａ)を通る磁束が増加するので、回転子が回転したときのインダクタンスのモータ（回転電機）の回転による変動をさらに低減し、モータの制御性が向上したり、トルク脈動を低減できる。
【００８５】
特徴１３：特徴１〜特徴１２の何れか一を有する多重多相巻線交流回転電機において、前記多重の多相巻線群に個別に対応して接続される複数のモータ駆動装置を一体に有することを特徴とする多重多相巻線交流回転電機であり、電機子巻線とインバータとを接続する接続線が短くてよいためサイズ・コスト・重量が有利となる。
【００８６】
特徴１４：特徴１〜特徴１３の何れか一を有する多重多相巻線交流回転電機が多重多相巻線交流モータであり、当該多重多相巻線交流モータによってアシストトルクを発生させるようにした電動パワーステアリング装置であり、多重多相巻線交流モータのトルク脈動を低減してドライバーの操舵フィーリングを向上でき、電動パワーステアリングが搭載された車両の静粛性を向上することができる。
【００８７】
なお、本発明は、その発明の範囲内において、各実施の形態を適宜、変形、省略、組み合わせをすることができる。
なお、各図中、同一符合は同一または相当部分を示す。
【符号の説明】
【００８８】
501    ティース、                    401    固定子鉄心、
401E    固定子鉄心両端、            402    電機子巻線、
５    電機子（固定子）、              408    回転軸、
5011    接続部、                    5012    鍔部、
503    回転子、      81    第1のインバータ（モータ駆動装置）、
82    第2のインバータ（モータ駆動装置）。
【図１】
0005932147.tif 000004
【図２】
0005932147.tif 000005
【図３】
0005932147.tif 000006
【図４】
0005932147.tif 000007
【図５】
0005932147.tif 000008
【図６】
0005932147.tif 000009
【図７】
0005932147.tif 000010
【図８】
0005932147.tif 000011
【図９】
0005932147.tif 000012
【図１０】
0005932147.tif 000013
【図１１】
0005932147.tif 000014
【図１２】
0005932147.tif 000015
【図１３】
0005932147.tif 000016
【図１４】
0005932147.tif 000017
【図１５】
0005932147.tif 000018
【図１６】
0005932147.tif 000019
【図１７】
0005932147.tif 000020
【図１８】
0005932147.tif 000021
【図１９】
0005932147.tif 000022
【図２０】
0005932147.tif 000023
【図２１】
0005932147.tif 000024
【図２２】
0005932147.tif 000025